(57)【特許請求の範囲】
【請求項１】
生体組織を縫合するクリップを挿通自在とするチャンネルを備える内視鏡の先端に装着される縫合用フードであって、
生体組織を把持する一対の鉗子を挿通自在とする少なくとも２つの導管を備え、
該導管は、該縫合用フードの外周側に設けられ、少なくとも先端部の外周面が該縫合用フードの内周面に接するように埋設され、かつ、挿通される鉗子が前記縫合用フードの前方において互い違いに交差して突出するように該縫合用フードに取着されていることを特徴とする縫合用フード。
【請求項２】
請求項１記載の縫合用フードにおいて、前記導管は、その先端が前記縫合用フードの先端より基端側の位置に配設されて該縫合用フードに取着されていることを特徴とする縫合用フード。
【請求項３】
請求項１または請求項２記載の縫合用フードにおいて、
前記導管は、先端部近傍が内視鏡の側面から離れる方向に湾曲し、先端部が前記縫合用フードの側面に取着されていることを特徴とする縫合用フード。
【請求項４】
請求項１乃至請求項３のいずれか１項記載の縫合用フードにおいて、前記導管は、該縫合用フードの周方向に沿って、２つの導管が側面正横より互いに近接する位置に配設されて、該縫合用フードに取着されていることを特徴とする縫合用フード。
【発明の詳細な説明】
【技術分野】
【０００１】
本発明は、生体組織を縫合するクリップを挿通自在とするチャンネルを備える内視鏡の先端に装着される縫合用フードに関する。
【背景技術】
【０００２】
食道、胃、十二指腸、小腸等の消化管では、計画的に穿孔や小切開を施したり、或いは意図しない穿孔等により、開口部が生じることがある。前記消化管に開口部が生じた場合、消化管の内容物が腹腔等に漏洩すると、腹膜炎や感染性腸炎等の症状を起こすことがあるので、緊急に開口を閉じる処置を行う必要がある。
【０００３】
前記開口を閉じる処置としては、まず、開腹手術、腹腔鏡下外科手術、内視鏡下外科手術を組み合わせて行うことが考えられる。ここで、開腹手術及び腹腔鏡下外科手術は外科医の担当、内視鏡下外科手術は内科医の担当である。従って、状況に応じて対処し臨機の処置を行うためには、外科と内科との両方の医師の立ち会いを必要とするという問題がある。また、開腹手術は痛みが継続するため持続麻酔が必要であり、術後は１〜２週間の入院が必要になるという問題もある。
【０００４】
そこで、内視鏡下に開口部をクリップで縫合することが考えられる。前記クリップとして、従来、内視鏡の１つのチャンネルにワイヤを介して挿通自在とされたクリップが知られている（例えば特許文献１参照）。前記クリップは、弾性体からなり、基端部で接続された１対の腕部を備え、該腕部の先端が互いに離間する方向に付勢されている。
【０００５】
前記クリップは、ワイヤの先端に取着して内視鏡のチャンネルに挿通され、該チャンネル内では前記腕部の先端が互いに当接しており、該チャンネルから押し出されるに従って、それ自体の弾性力により該腕部の先端が互いに離間するようになっている。前記クリップは、例えば開口部等の縫合部位の組織を前記１対の腕部の先端部で挟持した状態で、該腕部にリングを嵌合し係合することにより縫合を行うことができる。
【０００６】
前記クリップで縫合する場合には、外科医が立ち会うことなく内科医のみで行うことができる上、殆ど痛みを伴わず、術後の入院も不要であるという利点がある。
【先行技術文献】
【特許文献】
【０００７】
【特許文献１】特開平８−１９５４８号公報
【発明の概要】
【発明が解決しようとする課題】
【０００８】
ところが、消化管の管壁は柔らかく粘膜状であるので開口部が不安定になり、前記クリップによる縫合が困難になることがある。また、開口部が、前記腕部の先端の最大離間距離（例えば１０ｍｍ）より大きい場合には、前記クリップのみでは縫合することができない。
【０００９】
前記問題を解決するために、２つのチャンネルを有する内視鏡（以下、２チャンネル内視鏡と略記する）を用いる方法が提案されている。２チャンネル内視鏡は、斜め方向から開口部に対面する位置で、開口部が視野を横断するように保持される。この状態で、１つのチャンネルから鉗子を出し、該鉗子により視野内で遠方側になる開口端を把持して手前に引寄せることにより、手前側の開口端と重なり合うようにする。そして、他のチャンネルから押し出されるクリップにより重なり合った２つの開口端を縫合する。この結果、前記２チャンネル内視鏡によれば、開口部がクリップの腕部先端の最大離間距離より大きい場合にもクリップによる縫合を行うことができる。
【００１０】
しかしながら、２チャンネル内視鏡は高価であるため、普及率が低く、使用できる医療機関が限定されるという不都合がある。さらに、２チャンネル内視鏡を用いる方法では、開口部に対して２チャンネル内視鏡を適切な位置に保持することが難しい上、消化管の管壁が柔らかいために鉗子により遠方側の開口端を引寄せても手前側の開口端と重合せることが難しいという不都合がある。
【００１１】
本発明は、かかる不都合を解消して、クリップを挿通自在とする単一のチャンネルを備える内視鏡の先端に装着され、クリップの腕部先端の最大離間距離より大きい開口部であっても該クリップによる縫合を可能とする縫合用フードを提供することを目的とする。
【課題を解決するための手段】
【００１２】
かかる目的を達成するために、本発明の縫合用フードは、生体組織を縫合するクリップを挿通自在とするチャンネルを備える内視鏡の先端に装着される縫合用フードであって、生体組織を把持する一対の鉗子を挿通自在とする少なくとも２つの導管を備え、該導管は、該縫合用フードの外周側に設けられ、少なくとも先端部の外周面が該縫合用フードの内周面に接するように埋設され、かつ、挿通される鉗子が前記縫合用フードの前方において互い違いに交差して突出するように該縫合用フードに取着されていることを特徴とする。
【００１３】
本発明の縫合用フードによれば、クリップを挿通自在とするチャンネルを備える内視鏡の先端に装着されることにより、少なくとも２つの導管に各１本の鉗子を挿通することができる。従って、前記内視鏡はクリップを挿通自在とするチャンネルを備えてさえいればよく、２つのチャンネルを備える必要がない。
【００１４】
また、本発明の縫合用フードによれば、前記少なくとも２つの導管に各１本挿通される鉗子により、開口部の少なくとも２箇所を把持して相互に重合せることができる。従って、柔らかく、粘膜状の消化管であっても前記開口部を確実に重合せ、クリップの腕部先端の最大離間距離より大きい開口部であっても、内視鏡のチャンネルに挿通されるクリップにより該開口部を縫合することができる。
また、本発明の縫合用フードによれば、前記導管は、該縫合用フードの外周側に設けられ、少なくとも先端部の外周面が長さ方向に沿って該縫合用フードの内周面に接するように埋設されているので、該縫合用フードの先端部の外形を小さくして、消化管等への挿入に便たらしめることができる。
【００１５】
また、この態様の縫合用フードによれば、内視鏡が開口部に対して正面から対向するときに、前記開口部を容易かつ確実に重合せることができる。
【００１６】
また、前記導管は、その先端が前記縫合用フードの先端より基端側の位置に配設されて該縫合用フードに取着されていることが好ましい。さらに、前記導管は、先端部近傍が内視鏡の側面から離れる方向に湾曲し、先端部が前記縫合用フードの側面に取着されていることが好ましい。
【００１８】
また、前記各態様の縫合用フードにおいて、前記導管は、該縫合用フードの周方向に沿って、２つの導管が側面正横より互いに近接する位置に配設されて、該縫合用フードに取着されていることが好ましい。このようにすることにより、前記導管に挿通される各１本の鉗子を互いに近接する位置から突出させることができ、前記開口部を容易かつ確実に重合せることができる。
【図面の簡単な説明】
【００１９】
【図１】（ａ）は本発明の第１実施形態の縫合用フードの構成を示す平面図、（ｂ），（ｃ）は縫合用フードの先端側から見た正面図。
【図２】第１実施形態の縫合用フードの使用方法を示す説明図。
【図３】本発明の第２実施形態の縫合用フードの構成を示す平面図。
【図４】第２実施形態の縫合用フードの使用方法を示す説明図。
【発明を実施するための形態】
【００２０】
次に、添付の図面を参照しながら本発明の実施の形態についてさらに詳しく説明する。
【００２１】
図１（ａ）に示すように、本発明の第１実施形態の縫合用フード１ａは、内視鏡２の先端に外嵌装着される装着部３と、装着部３の前方に連設されたフード部４とを備えている。内視鏡２は、図示しないチャンネルを備え、該チャンネルに生体組織を縫合するクリップが挿通自在とされている。
【００２２】
縫合用フード１ａのフード部４の側面には、導管５ａ，５ｂが湾曲して取着されていることにより、各鉗子がフード部４の前方で交差するようになっている。フード部４は、導管５ａ，５ｂの取り付け角度を決めるためにある程度硬質の材料からなることが好ましく、例えばＡＢＳにより形成されている。一方、導管５ａ，５ｂは、例えば２．８ｍｍの内径を備えており、それぞれ鉗子各１本が挿通可能とされている。また、導管５ａ，５ｂは、内側から順にポリエチレン、ＥＶＡ、ポリ塩化ビニルからなる３層構造となっている。導管５ａ，５ｂは、内層をポリエチレンとすることにより、鉗子を挿通したときに滑りをよくすることができ、また外層をポリ塩化ビニルとすることによりフード部４との接着性を良好にすることができる。
【００２３】
ここで、図１（ｂ），（ｃ）はフード部４の先端側から見た正面図である。図１（ｂ）に示すように、導管５ａ，５ｂは、フード部４の側面正横に形成された溝部に、その一部が埋設された状態で固定されている。このようにすることにより、縫合用フード１ａの先端部の外形を小さくして、消化管等への挿入に便たらしめることができる。
【００２４】
さらに、図１（ｃ）に示すように、導管５ａ，５ｂは、フード部４に形成された溝部に、その一部が埋設された状態で固定されるときに、フード部４の周方向に沿って、側面正横より互いに近接する位置に配設されて、フード部４に固定されていてもよい。このようにすることにより、導管５ａ，５ｂに挿通される各１本の鉗子を互いに近接する位置から突出させることができる。
【００２５】
次に、図２を参照して、縫合用フード１ａの使用方法について説明する。
【００２６】
縫合用フード１ａの使用に当たっては、まず、図２（ａ）に示すように、縫合用フード１ａを装着した内視鏡２を消化管６の開口部７に正面から対向させる。このとき、開口部７は、内視鏡２の視野内にある。
【００２７】
次に、図２（ｂ）に示すように、導管５ａ，５ｂに挿通される鉗子８ａ，８ｂを出し、フード部４の前方で交差させると共に、それぞれ開口部７の相対向する開口端を把持する。
【００２８】
次に、図２（ｃ）に示すように、一方の鉗子８ａで開口部７の一方の開口端を保持しつつ、他方の鉗子８ｂで他方の開口端を鉗子８ａ側に引寄せる。次いで、図２（ｄ）に示すように、一方の鉗子８ｂで引寄せた開口部７の一方の開口端を保持しつつ、他方の鉗子８ａで他方の開口端を鉗子８ｂ側に引き寄せる。この結果、それぞれ一方の開口端を引寄せるときには、他方の開口端が保持されているので、柔らかく、粘膜状の消化管の開口部７の相対向する開口端を、容易かつ確実に重合せることができる。
【００２９】
このとき、導管５ａ，５ｂは、図１（ｃ）に示すように、フード部４の周方向に沿って、側面正横より互いに近接する位置に配設されているときには、挿通される鉗子８ａ，８ｂを互いに近接する位置から突出させることができる。従って、開口部７の相対向する開口端を、さらに容易かつ確実に重合せることができる。
【００３０】
そして、図２（ｅ）に示すように、内視鏡２の図示しないチャンネルにクリップ９を挿通し、該チャンネルから押し出すことにより、上述のようにして重合せられている開口部７をクリップ９により縫合する。クリップ９としては、前記従来公知のものを用いることができる。
【００３１】
このようなクリップ９として、例えば、弾性体からなり、基端部で接続された１対の腕部を備え、該腕部の先端が互いに離間する方向に付勢されているものを挙げることができる。前記クリップ９は、開口部７の縫合部位の組織を前記１対の腕部の先端部で挟持した状態で、該腕部にリングを嵌合し係合することにより縫合を行うことができる。
【００３２】
次に、図３に示すように、本発明の第２実施形態の縫合用フード１ｂは、フード部４の側面には、導管１０ａ，１０ｂが平行に取着されていること以外は、図１に示す縫合用フード１ａと全く同一の構成を備えている。そこで、縫合用フード１ａと同一の構成には、同一の符号を付し、説明を省略する。
【００３３】
導管１０ａ，１０ｂは、例えば２．８ｍｍの内径を備えており、それぞれ鉗子各１本が挿通可能とされている。また、導管１０ａ，１０ｂは、内側から順にポリエチレン、ＥＶＡ、ポリ塩化ビニルからなる３層構造となっている。導管１０ａ，１０ｂは、内層をポリエチレンとすることにより、鉗子を挿通したときに滑りをよくすることができ、また外層をポリ塩化ビニルとすることによりフード部４との接着性を良好にすることができる。
【００３４】
導管１０ａ，１０ｂは、フード部４の側面に平行に取着されていることにより、挿通される各鉗子がフード部２の前方で平行になるようになっている。また、導管１０ａ，１０ｂは、図１（ｂ）に示す導管５ａ，５ｂと同様に、フード部４の側面正横に半ば埋設して取着されており、このようにすることにより、縫合用フード１ｂの先端部の外径を小さくして、消化管等への挿入に便たらしめることができる。また、導管１０ａ，１０ｂは、図１（ｃ）に示す導管５ａ，５ｂと同様に、フード部４の周方向に沿って、側面正横より互いに近接する位置に配設されて、フード部４に取着されていてもよい。このようにすることにより、導管１０ａ，１０ｂに挿通される各１本の鉗子を互いに近接する位置から突出させることができる。
【００３５】
次に、図４を参照して、縫合用フード１ｂの使用方法について説明する。
【００３６】
縫合用フード１ｂの使用に当たっては、まず、図４（ａ）に示すように、縫合用フード１ｂを装着した内視鏡２を消化管６の開口部７に斜め方向から対向させる。このとき、開口部７は、内視鏡２の視野内を横断する状態になっている。
【００３７】
次に、図４（ｂ）に示すように、導管１０ａ，１０ｂに挿通される鉗子８ａ，８ｂを出し、フード部４の前方で平行になるようにして、それぞれ開口部７の相対向する開口端を把持する。このとき、具体的には、一方の鉗子８ａで、内視鏡２の視野内で遠方の側の開口部７の一方の開口端を把持し、他方の鉗子８ｂで、手前側の開口端を把持する。
【００３８】
次に、図４（ｃ）に示すように、一方の鉗子８ｂで開口部７の手前側の開口端を保持しつつ、他方の鉗子８ｂで遠方の側の開口端を鉗子８ａ側に引寄せる。この結果、手前側の開口端が保持されているので、柔らかく、粘膜状の消化管の開口部７の相対向する開口端を、容易かつ確実に重合せることができる。
【００３９】
このとき、導管１０ａ，１０ｂは、図１（ｃ）に示す導管５ａ，５ｂと同様に、フード部４の周方向に沿って、側面正横より互いに近接する位置に配設されているときには、挿通される鉗子８ａ，８ｂを互いに近接する位置から突出させることができる。従って、開口部７の相対向する開口端を、さらに容易かつ確実に重合せることができる。
【００４０】
そして、図４（ｄ）に示すように、内視鏡２の図示しないチャンネルにクリップ９を挿通し、該チャンネルから押し出すことにより、上述のようにして重合せられている開口部７をクリップ９により縫合する。クリップ９としては、前記第１実施形態と同様に前記従来公知のものを用いることができる。
【符号の説明】
【００４１】
１ａ，１ｂ…縫合用フード、  ２…内視鏡、  ５ａ，５ｂ，１０ａ，１０ｂ…導管、  ８ａ，８ｂ…鉗子。
【図１】
0005611563.tif 000002
【図２】
0005611563.tif 000003
【図３】
0005611563.tif 000004
【図４】
0005611563.tif 000005